(57)【特許請求の範囲】
【請求項１】
燃料ガスが供給され、点火手段により点火されて燃焼するガスバーナと、
該ガスバーナの近傍に配され、受熱温度に対応した熱起電力を出力する熱電対と、
点火確認用の点火確認ランプと、
前記熱電対が出力する熱起電力に基づいて、前記点火確認ランプの点灯・消灯を決定する制御器とを有する燃焼装置において、
前回の燃焼停止から所定時間を越えている通常点火時は、前記熱起電力が着火検知レベル以上になると前記制御器が前記点火確認ランプを点灯させ、
前回の燃焼停止から所定時間内である再点火時は、前記熱起電力の勾配が正になると前記制御器が前記点火確認ランプを点灯させる事を特徴とする燃焼装置。
【請求項２】
燃料ガスが供給され、点火手段により点火されて燃焼するガスバーナと、
該ガスバーナの近傍に配され、受熱温度に対応した熱起電力を出力する熱電対と、
点火確認用の点火確認ランプと、
前記熱電対が出力する熱起電力に基づいて、前記点火確認ランプの点灯・消灯を決定する制御器とを有する燃焼装置において、
点火時における熱起電力が所定値未満である通常点火時は、前記熱起電力が着火検知レベル以上になると前記制御器が前記点火確認ランプを点灯させ、
点火時における熱起電力が所定値以上である再点火時は、前記熱起電力の勾配が正になると前記制御器が前記点火確認ランプを点灯させる事を特徴とする燃焼装置。
【請求項３】
燃料ガスが供給され、点火手段により点火されて燃焼するガスバーナと、
該ガスバーナの近傍に配され、受熱温度に対応した熱起電力を出力する熱電対と、
点火確認用の点火確認ランプと、
前記熱電対が出力する熱起電力に基づいて、前記点火確認ランプの点灯・消灯を決定する制御器とを有する燃焼装置において、
前回の燃焼停止から所定時間を越えている通常点火時は、前記熱起電力が着火検知レベル以上になると前記制御器が前記点火確認ランプを点灯させ、
前回の燃焼停止から所定時間内である再点火時は、前記熱起電力の勾配が正になり、且つ、前記熱起電力が着火検知レベル以上であると前記制御器が前記点火確認ランプを点灯させる事を特徴とする燃焼装置。
【請求項４】
燃料ガスが供給され、点火手段により点火されて燃焼するガスバーナと、
該ガスバーナの近傍に配され、受熱温度に対応した熱起電力を出力する熱電対と、
点火確認用の点火確認ランプと、
前記熱電対が出力する熱起電力に基づいて、前記点火確認ランプの点灯・消灯を決定する制御器とを有する燃焼装置において、
点火時における熱起電力が所定値未満である通常点火時は、前記熱起電力が着火検知レベル以上になると前記制御器が前記点火確認ランプを点灯させ、
点火時における熱起電力が所定値以上である再点火時は、前記熱起電力の勾配が正になり、且つ、前記熱起電力が着火検知レベル以上であると前記制御器が前記点火確認ランプを点灯させる事を特徴とする燃焼装置。
【請求項５】
燃料ガスが供給され、点火手段により点火されて燃焼するガスバーナと、
該ガスバーナの近傍に配され、受熱温度に対応した熱起電力を出力する熱電対と、
点火確認用の点火確認ランプと、
点火の際、前記熱電対が出力する熱起電力が着火検知レベル以上である場合に前記点火確認ランプを点灯させる制御器とを有する燃焼装置において、
前記制御器は、前記ガスバーナが燃焼停止すると前記着火検知レベルを、燃焼中に前記熱電対が出力する熱起電力よりも高い第２閾値に引き上げ、燃焼停止からの経過時間に対応して前記着火検知レベルを第２閾値から所定のパターンで第１閾値まで低減していく事を特徴とする燃焼装置。
【発明の詳細な説明】
【０００１】
【発明の属する技術分野】
本発明は燃焼装置に関する。
【０００２】
【従来の技術】
燃料ガスが供給され、点火手段により点火されて燃焼するガスバーナと、前記ガスバーナの燃焼炎に炙られて熱起電力を出力するサーモカップルと、点火確認用の点火確認ランプと、点火の際、サーモカップルが着火検知レベル（例えば２．８ｍＶ）以上の熱起電力を出力すると前記点火確認ランプを点灯させる制御器とを有する燃焼装置が従来より知られている。
【０００３】
【発明が解決しようとする課題】
発明者らは、上記従来の燃焼装置において、ガスバーナを消火しても、消火直後は、余熱によりサーモカップルが着火検知レベル以上の熱起電力を出力しており、消火から早期（例えば５秒以内）に点火操作を行うと、ミス点火しても熱起電力が着火検知レベル未満に低下するまで前記点火確認ランプの点灯が続くという現象が起きる事を見い出した。
【０００４】
そこで、点火操作後、数秒間は、熱起電力が例え着火検知レベル以上であっても、点火ランプを点灯させない様な燃焼装置が考えられるが、その分、点灯が遅れるという不具合が発生する。
【０００５】
本発明の目的は、点火確認ランプの誤点灯が防止できるとともに、着火の際には早期に点火ランプが点灯する燃焼装置の提供にある。
【０００６】
【課題を解決するための手段】
上記課題を解決する為、本発明は、以下の構成を採用した。
（１）燃料ガスが供給され、点火手段により点火されて燃焼するガスバーナと、該ガスバーナの近傍に配され、受熱温度に対応した熱起電力を出力する熱電対と、点火確認用の点火確認ランプと、前記熱電対が出力する熱起電力に基づいて、前記点火確認ランプの点灯・消灯を決定する制御器とを有する燃焼装置において、前回の燃焼停止から所定時間を越えている通常点火時は、前記熱起電力が着火検知レベル以上になると前記制御器が前記点火確認ランプを点灯させ、前回の燃焼停止から所定時間内である再点火時は、前記熱起電力の勾配が正になると前記制御器が前記点火確認ランプを点灯させる。
【０００７】
（２）燃料ガスが供給され、点火手段により点火されて燃焼するガスバーナと、該ガスバーナの近傍に配され、受熱温度に対応した熱起電力を出力する熱電対と、点火確認用の点火確認ランプと、前記熱電対が出力する熱起電力に基づいて、前記点火確認ランプの点灯・消灯を決定する制御器とを有する燃焼装置において、点火時における熱起電力が所定値未満である通常点火時は、前記熱起電力が着火検知レベル以上になると前記制御器が前記点火確認ランプを点灯させ、点火時における熱起電力が所定値以上である再点火時は、前記熱起電力の勾配が正になると前記制御器が前記点火確認ランプを点灯させる。
【０００８】
（３）燃料ガスが供給され、点火手段により点火されて燃焼するガスバーナと、該ガスバーナの近傍に配され、受熱温度に対応した熱起電力を出力する熱電対と、点火確認用の点火確認ランプと、前記熱電対が出力する熱起電力に基づいて、前記点火確認ランプの点灯・消灯を決定する制御器とを有する燃焼装置において、前回の燃焼停止から所定時間を越えている通常点火時は、前記熱起電力が着火検知レベル以上になると前記制御器が前記点火確認ランプを点灯させ、前回の燃焼停止から所定時間内である再点火時は、前記熱起電力の勾配が正になり、且つ、前記熱起電力が着火検知レベル以上であると前記制御器が前記点火確認ランプを点灯させる。
（４）燃料ガスが供給され、点火手段により点火されて燃焼するガスバーナと、該ガスバーナの近傍に配され、受熱温度に対応した熱起電力を出力する熱電対と、点火確認用の点火確認ランプと、前記熱電対が出力する熱起電力に基づいて、前記点火確認ランプの点灯・消灯を決定する制御器とを有する燃焼装置において、点火時における熱起電力が所定値未満である通常点火時は、前記熱起電力が着火検知レベル以上になると前記制御器が前記点火確認ランプを点灯させ、点火時における熱起電力が所定値以上である再点火時は、前記熱起電力の勾配が正になり、且つ、前記熱起電力が着火検知レベル以上であると前記制御器が前記点火確認ランプを点灯させる。
（５）燃料ガスが供給され、点火手段により点火されて燃焼するガスバーナと、該ガスバーナの近傍に配され、受熱温度に対応した熱起電力を出力する熱電対と、点火確認用の点火確認ランプと、点火の際、前記熱電対が出力する熱起電力が着火検知レベル以上である場合に前記点火確認ランプを点灯させる制御器とを有する燃焼装置において、前記制御器は、前記ガスバーナが燃焼停止すると前記着火検知レベルを、燃焼中に前記熱電対が出力する熱起電力よりも高い第２閾値に引き上げ、燃焼停止からの経過時間に対応して前記着火検知レベルを第２閾値から所定のパターンで第１閾値まで低減していく。
【００１４】
【作用および発明の効果】
〔請求項１について〕
燃焼停止から長時間が経過していると、熱電対は冷えており、熱電対が出力する熱起電力は略ゼロである。
前回の燃焼停止から所定時間を越えているコールド時（通常点火時）に、点火手段によりガスバーナを点火すると、燃焼炎により熱電対が加熱されるので熱電対が出力する熱起電力は上昇（正の勾配）していく。通常点火時、制御器は、熱起電力が着火検知レベル以上になると点火確認ランプを点灯させる。
【００１５】
ガスバーナの燃焼停止直後は、余熱に応じた熱起電力を熱電対が出力するが、燃焼停止からの時間が経過するほど熱電対が冷えていくので、熱起電力の傾きは負（勾配が負）である。
前回の燃焼停止から所定時間内である燃焼停止直後（再点火時）に、点火手段によりガスバーナが再点火すると、燃焼炎により熱電対が加熱されるので熱起電力は早期に上昇（勾配が正）に転じる。再点火時、制御器は、熱起電力の勾配が正になると点火確認ランプを点灯させる。
【００１６】
ガスバーナの燃焼停止直後で、熱電対が余熱に応じたハイレベルの熱起電力を出力している時期は、前回の燃焼停止から所定時間内である場合である。
この時期を判別する事により、再点火と通常点火とを確実に区別できるので、再点火時における点火確認ランプの誤点灯を確実に防止できる。
【００１７】
〔請求項２について〕
燃焼停止から長時間が経過していると、熱電対は冷えており、熱電対が出力する熱起電力は略ゼロである。
点火時における熱起電力が所定値未満であるコールド時（通常点火時）に、点火手段によりガスバーナを点火すると、燃焼炎により熱電対が加熱されるので熱電対が出力する熱起電力は上昇（正の勾配）していく。通常点火時、制御器は、熱起電力が着火検知レベル以上になると点火確認ランプを点灯させる。
【００１８】
ガスバーナの燃焼停止直後は、余熱に応じた熱起電力を熱電対が出力するが、燃焼停止からの時間が経過するほど熱電対が冷えていくので、熱起電力の傾きは負（勾配が負）である。
点火時における熱起電力が所定値以上である燃焼停止直後（再点火時）に、点火手段によりガスバーナが再点火すると、燃焼炎により熱電対が加熱されるので熱起電力は早期に上昇（勾配が正）に転じる。再点火時、制御器は、熱起電力の勾配が正になると点火確認ランプを点灯させる。
【００１９】
ガスバーナの燃焼停止直後で、熱電対が余熱に応じたハイレベルの熱起電力を出力している時期は、点火時における熱起電力が所定値以上である場合である。
この時期を判別する事により、再点火と通常点火とを確実に区別できるので、再点火時における点火確認ランプの誤点灯を確実に防止できる。
【００２０】
〔請求項３について〕
燃焼停止から長時間が経過していると、熱電対は冷えており、熱電対が出力する熱起電力は略ゼロである。
前回の燃焼停止から所定時間を越えているコールド時（通常点火時）に、点火手段によりガスバーナを点火すると、燃焼炎により熱電対が加熱されるので熱電対が出力する熱起電力は上昇（正の勾配）していき着火検知レベルを越える。通常点火時、制御器は、熱起電力が着火検知レベル以上になると、点火確認ランプを点灯させる。
ガスバーナの燃焼停止直後は、余熱に応じた熱起電力を熱電対が出力するが、燃焼停止からの時間が経過するほど熱電対が冷えていくので、熱起電力の傾きは負（勾配が負）である。
前回の燃焼停止から所定時間内である燃焼停止直後（再点火時）に、点火手段によりガスバーナを再点火すると、燃焼炎により熱電対が加熱されるので熱起電力は早期に上昇（勾配が正）に転じる。再点火時、制御器は、熱起電力の勾配が正になり、且つ、熱起電力が着火検知レベル以上であると点火確認ランプを点灯させる。
ガスバーナの燃焼停止直後で、熱電対が余剰に応じたハイレベルの熱起電力を出力している時期は、前回の燃焼停止から所定時間内である場合である。
この時期を判別する事により、再点火と通常点火とを確実に区別できるので、再点火時における点火確認ランプの誤点灯を確実に防止できる。
〔請求項４について〕
燃焼停止から長時間が経過していると、熱電対は冷えており、熱電対が出力する熱起電力は略ゼロである。
点火時における熱起電力が所定値未満であるコールド時（通常点火時）に、点火手段によりガスバーナを点火すると、燃焼炎により熱電対が加熱されるので熱電対が出力する熱起電力は上昇（正の勾配）していき着火検知レベルを越える。通常点火時、制御器は、熱起電力が着火検知レベル以上になると、点火確認ランプを点灯させる。
ガスバーナの燃焼停止直後は、余熱に応じた熱起電力を熱電対が出力するが、燃焼停止からの時間が経過するほど熱電対が冷えていくので、熱起電力の傾きは負（勾配が負）である。
点火時における熱起電力が所定値以上である燃焼停止直後（再点火時）に、点火手段によりガスバーナを再点火すると、燃焼炎により熱電対が加熱されるので熱起電力は早期に上昇（勾配が正）に転じる。再点火時、制御器は、熱起電力の勾配が正になり、且つ、熱起電力が着火検知レベル以上であると点火確認ランプを点灯させる。
ガスバーナの燃焼停止直後で、熱電対が余剰に応じたハイレベルの熱起電力を出力している時期は、点火時における熱起電力が所定値以上である場合である。
この時期を判別する事により、再点火と通常点火とを確実に区別できるので、再点火時における点火確認ランプの誤点灯を確実に防止できる。
〔請求項５について〕
前回の燃焼停止から長い時間が経過している場合、着火検知レベルは正規の第１閾値に収束している。尚、熱電対は冷えており、熱電対が出力する熱起電力は略ゼロである。
点火手段によりガスバーナが点火すると、熱電対が出力する熱起電力は上昇していき第１閾値を越える。制御器は、熱起電力が第１閾値以上になった時点で点火確認ランプを点灯させる。
風や消火操作によりガスバーナが燃焼停止した場合に出力される熱起電力は、余熱のため高く、特に燃焼停止直後は、熱起電力が着火検知レベルを越え、燃焼中の熱起電力程度のレベルである。
ガスバーナが燃焼停止すると、燃焼中に熱電対が出力する熱起電力よりも高い第２閾値に制御器が着火検知レベルを引き上げ、燃焼停止からの経過時間に対応して着火検知レベルを第２閾値から所定のパターンで第１閾値まで低減していく構成である。このため、ガスバーナの消火直後に再点火を行った場合には、再点火操作と同時に点火確認ランプが点灯しない。
再点火時、点火手段によりガスバーナが点火すると、燃焼炎により熱電対が加熱されるので熱起電力の下降が緩やかになっていき、上昇に転じる。
熱電対が出力する熱起電力が着火検知レベル以上になった時点で制御器が点火確認ランプを点灯させる。
この為、再点火時における点火確認ランプの誤点灯が確実に防止できる。
【００３２】
【発明の実施の形態】
本発明の第１実施例（請求項３、４に対応）を、図１〜図５に基づいて説明する。
図に示すガステーブルＡは、燃料ガスが供給されて燃焼する、右こんろ１、左こんろ２、及びグリル３と、右こんろ１、左こんろ２、及びグリル３の点火を行う点火手段４と、熱起電力ＴＣを出力するサーモカップル５１、５２、５３と、点火確認用の点火確認ランプ６１、６２、６３と、点火確認ランプ６１、６２、６３の点灯・消灯等を制御する燃焼制御器７とを有する。
【００３３】
尚、１０１、２０１、３０１は点・消火ボタン、１０２、２０２、３０２は火力調整レバー、１０３、２０３、３０３は点・消火ボタン１０１、２０１、３０１の押圧操作により閉成するマイクロスイッチである。
【００３４】
右こんろ１は、４１００ｋｃａｌ／ｈのガス消費量を有するＨバーナ１１を有し、図示右方に設置されている。また、火花放電を行う点火電極４１、燃焼炎１０により炙られて熱起電力ＴＣを発生するサーモカップル５１がＨバーナ１１のガス噴出炎口に臨んで配され、サーミスタ１２を内蔵した感温筒１３が、その上面１３１を、五徳１４上に載置される鍋等の調理容器１５の底面１５１に圧接する様に配されている（図２参照）。
【００３５】
又、１１１はセーフティバルブ、１１２はガス管路、１１３は点・消火ボタン１０１の押圧操作により、ハートカム（図示せず）を備えたプッシュプッシュ機構によって開弁保持され、再押圧操作によって閉弁するメイン弁である。
【００３６】
左こんろ２は、２３００ｋｃａｌ／ｈのガス消費量を有するＭバーナ２１を有し、図示左方に設置されている。また、火花放電を行う点火電極４２、燃焼炎２０により炙られて熱起電力ＴＣを発生するサーモカップル５２がＭバーナ２１のガス噴出炎口に臨んで配され、右こんろ１と同様に、サーミスタ２２を内蔵した感温筒２３が、その上面２３１を、五徳２４上に載置される鍋等の調理容器２５の底面２５１に圧接する様に配されている。
【００３７】
尚、２１１はガス管路２１２に配されたセーフティバルブ、２１４はガス管路２１２から分岐する主ガス管路２１５と副ガス管路２１６との内、主ガス管路２１５中に配された温調用電磁弁、２１３は右こんろ１と同様、ガス管路２１２に配設されるメイン弁である（図２参照）。
【００３８】
グリル３は、１９５０ｋｃａｌ／ｈのガス消費量を有する、多孔燃焼板式のグリルバーナ３１を有し、図示中央のグリル庫３０内に配設されている。また、火花放電を行う点火電極４３、燃焼炎によりにより炙られて熱起電力ＴＣを発生するサーモカップル５３がグリルバーナ３１の多孔燃焼板に臨んで配されている。尚、３１１、３１３はガス管路３１２に配設されるセーフティバルブ及びメイン弁である（図２参照）。
【００３９】
点火手段４は、マイクロスイッチ１０３、２０３、３０３がオフからオンに切り替わると高電圧を発生するイグナイタ回路（図示せず）と、この高電圧が印加され、火花放電を行う点火電極４１、４２、４３とにより構成される。
【００４０】
図３にも示す操作パネル８は、プラスチック板で形成され、左こんろ２のＭバーナ２１の燃焼を制御するための下記の表示部及び各キーを備えている。
具体的には、調理温度や調理時間をデジタル表示する七セグメントの緑色ＬＥＤ８１１と、調理温度や調理時間を設定するキー８１２、８１３と、天麩羅等の調理に適し１３０℃〜２２０℃の範囲内で設定された一定温度に保つ揚げもの調理モードのキー８１４、煮こみ調理に適し沸騰状態を長時間保つ煮こみ調理モードのキー８１５、焼きもの調理に適し２７０℃の一定温に保つ焼きもの調理モードのキー８１６、湯沸かしに適し水が沸騰する迄加熱する湯わかしモードのキー８１７、設定時間が経過したとき自動消火を行うタイマカットモードのキー８１８、及びこれらのモードを取り消す時に押圧するとりけしのキー８１９と、これらキーの左上部に配され、上記各モードが選択された際に発光表示するＬＥＤ８２４、８２５、８２６、８２７、８２８とを備えている。
【００４１】
尚、七セグメントの緑色ＬＥＤ８１１及び各モードのＬＥＤ８２４、８２５、８２６、８２７、８２８は、操作パネル８の裏面に配設され、対応する位置のプラスチック板は透光性を有する様に形成されている。
【００４２】
点火確認ランプ６１、６２、６３は、高輝度ＬＥＤ（赤色）であり、点・消火ボタン１０１、２０１、３０１の上方に配置され、透光性の、強火マーク、中火マーク、及び魚マークの裏側に配設されている。
【００４３】
つぎに、ガステーブルＡの作動を、図４のグラフ、及び図５のフローチャートに基づいて説明する。
例えば、使用者が左こんろ２の点・消火ボタン２０１を経過時間９０１において押圧した場合（ステップｓ１でＹＥＳ）、メイン弁２１３及びセーフティバルブ２１１が、点・消火ボタン２０１と連動関係にある連動部材（図示せず）により開弁状態になるとともに、マイクロスイッチ２０３が閉成状態になり、燃焼制御器７は、セーフティバルブ２１１に所定時間通電（吸引コイルに吸引電流を流す）して開弁保持し、点火電極４２に高電圧が印加されるので、左こんろ２は点火して燃焼を開始する。尚、右こんろ１、グリル３を燃焼させる場合も同様である。
【００４４】
この場合、点・消火ボタン２０１を押圧した時点で、サーモカップル５２の熱起電力ＴＣが所定値（例えば２．８ｍＶ）未満であるので（ステップｓ２でＮＯ）、燃焼制御器７のマイクロコンピュータが通常点火と判定する。
【００４５】
サーモカップル５２は、燃焼炎２０に炙られるので、熱起電力ＴＣが徐々に上昇していき、熱起電力ＴＣが経過時間９０２において着火検知レベル（２．８ｍＶ）以上になると（ステップｓ３でＹＥＳ）燃焼制御器７は、イグナイタ回路の作動を停止させ、セーフティバルブ２１１へ所定時間経過後も通電を継続（保持コイルに保持電流を流す）し、点火確認ランプ６２へ通電して赤色発光させる（ステップｓ６）。
【００４６】
そして、調理モード等を選択するキー８１４、８１５、８１６、８１７、８１８、８１９の内、例えば、揚げ物調理モードのキー８１４を押圧すると、ＬＥＤ８２４が赤色発光して、このモードが選択された事を表し、七セグメントの緑色ＬＥＤ８１１（デジタル表示）には、前回の揚げ物調理モードを使用時の調理温度が表示される。そして、表示された温度に対して調理温度を下げる場合にはキー８１２、また、上げる場合にはキー８１３を押圧操作すると七セグメントの緑色ＬＥＤ８１１に調理温度が表示される。これにより、揚げ物調理を開始する。
【００４７】
尚、調理中に、風や噴き溢れ等により、左こんろ２のＭバーナ２１が立ち消え、サーモカップル５２の熱起電力ＴＣが着火検知レベル（２．８ｍＶ）未満になると（ステップｓ７でＹＥＳ）、燃焼制御器７は、セーフティバルブ２１１への通電を停止（保持電流を停止）してＭバーナ２１へのガス供給を停止するとともに、点火確認ランプ６２を消灯する（ステップｓ８）。
【００４８】
経過時間９０３で、点・消火ボタン２０１を再押圧して消火操作を行うと（ステップｓ７でＹＥＳ）メイン弁２１３が閉弁し、マイクロスイッチ２０３が開成し、セーフティバルブ２１１が非通電となって左こんろ２が消火されるとともに、点火確認ランプ６２が強制的に通電停止となるので点火確認ランプ６２は消灯する（ステップｓ８）。
【００４９】
再点火を行わなかった場合は、サーモカップル５２の熱起電力ＴＣは、図示二点鎖線に示す様に時間経過とともに下がって行く（図４参照）。
しかし、揚げ物調理の再開又は別の調理を行う為、使用者が、経過時間９０４で点・消火ボタン２０１を押圧して再点火操作を行うと（ステップｓ１でＹＥＳ）、メイン弁２１３が開弁状態になるとともに、マイクロスイッチ２０３が閉成状態になり、燃焼制御器７は、セーフティバルブ２１１に所定時間通電して開弁保持し、点火電極４２に高電圧が印加されるので、左こんろ２は点火して燃焼を開始する。
【００５０】
上記の様に、消火直後で、点・消火ボタン２０１を押圧した時点で、サーモカップル５２の熱起電力ＴＣが所定値（例えば２．８ｍＶ）以上である場合（ステップｓ２でＹＥＳ）には、燃焼制御器７のマイクロコンピュータが再点火と判定する。
【００５１】
サーモカップル５２は、燃焼炎２０に炙られるので、図示実線に示す様に熱起電力ＴＣの下降は序々に緩やかになり、間もなく上昇に転じる（図４参照）。
経過時点９０５で、熱起電力の勾配Ｋ（下記の式で計測する）が正に転じた事が検知され（ステップｓ４でＹＥＳ）、且つ、着火検知レベル（２．８ｍＶ）以上であると（ステップｓ５でＹＥＳ）、燃焼制御器７は、イグナイタ回路の作動を停止させ、セーフティバルブ２１１へ所定時間経過後も通電を継続し、点火確認ランプ６２へ通電して赤色発光させる（ステップｓ６）。
勾配Ｋ＝（Ｖ2 −Ｖ1 ）／（ｔ2 −ｔ1 ）
Ｖ2 ＝現在の時間ｔ2 における熱起電力
Ｖ1 ＝時間ｔ2 から１００ｍｓ前の時間ｔ1 における熱起電力
【００５２】
つぎに、ガステーブルＡの利点を述べる。
燃焼制御器７のマイクロコンピュータは、点・消火ボタン１０１、２０１、３０１の点火操作時に、熱起電力ＴＣが所定値（２．８ｍＶ）未満の場合には通常点火（前回の消火から時間が経過している）と判別して熱起電力ＴＣ≧着火検知レベル（２．８ｍＶ）で点火確認ランプ６１、６２、６３を点灯させ、熱起電力ＴＣが所定値（２．８ｍＶ）以上の場合には再点火（消火直後）と判別して、勾配Ｋが正で、且つ、熱起電力ＴＣ≧着火検知レベル（２．８ｍＶ）で点火確認ランプ６１、６２、６３を点灯させる構成である。
この為、ガステーブルＡは、以下の利点を備える。
【００５３】
〔ア〕消火直後（数秒以内）に点・消火ボタン１０１、２０１、３０１を点火操作する再点火時において、Ｈバーナ１１、Ｍバーナ２１、及びグリルバーナ３１の着火検知を確実に行えるので、点火確認ランプ６１、６２、６３の誤点灯が防止できる。
【００５４】
〔イ〕再点火時には、１００ｍｓ間隔で勾配Ｋを計測しているので、Ｈバーナ１１、Ｍバーナ２１、グリルバーナ３１が着火して熱起電力の勾配Ｋが正になると（但し着火検知レベル以上）速やかに点火確認ランプ６１、６２、６３が点灯する。
つまり、再点火時に点灯を遅延させる（例えば２秒間）構成でないので、着火しているのに直ぐ点灯しないといった不合理が起きない。
【００５５】
〔ウ〕再点火時において熱起電力の勾配が正になり（ステップｓ４でＹＥＳ）、且つ、熱起電力が着火検知レベル以上（ステップｓ５でＹＥＳ）であると燃焼制御器７が点火確認ランプ６２を点灯させ、一旦、点灯すると、燃焼制御器７は、熱起電力が着火検知レベル以上である間、点灯を継続させている（ステップｓ７でＹＥＳ）。
この為、長時間燃焼させたり、火力を弱めても点火確認ランプ６２が消灯する事が無い。
【００５６】
〔エ〕点・消火ボタン１０１、２０１、３０１の点火操作の際に検出される熱起電力ＴＣに基づいて、通常点火か再点火かを判定しているので、再点火であるか否かを確実に判別する事ができる。
【００５７】
又、図６に示す様に、図５のステップｓ５を省き、ステップｓ４のＹＥＳからステップｓ６に進む構成でも良い（請求項２に対応）。
更に、図７に示す様に、再点火時において、点火確認ランプの点灯から３０秒が経過すると、ＴＣ≧着火検知レベルで点灯を行う制御に切り替える構成でも良い（請求項４に対応）。
【００５８】
つぎに、本発明の第２実施例（参考例）を、図１〜図３、及び図８のフローチャートに基づいて説明する。
図に示すガステーブルＢは、機械的な構造はガステーブルＡと同一であり、燃焼制御器７による点火確認ランプの点灯制御（以下に示す）のみ異なる。
【００５９】
ガステーブルＢの作動を図８のフローチャート等に基づいて説明する。
例えば、使用者が左こんろ２の点・消火ボタン２０１を押圧した場合（ステップＳ１でＹＥＳ）、メイン弁２１３及びセーフティバルブ２１１が、点・消火ボタン２０１と連動関係にある連動部材（図示せず）により開弁状態になるとともに、マイクロスイッチ２０３が閉成状態になり、燃焼制御器７は、セーフティバルブ２１１に所定時間通電（吸引コイルに吸引電流を流す）して開弁保持し、点火電極４２に高電圧が印加されるので、左こんろ２は点火して燃焼を開始する。尚、右こんろ１、グリル３を燃焼させる場合も同様である。
【００６０】
通常点火の場合はサーモカップル５２の熱起電力ＴＣは略ゼロである。
又、調理の再開又は別の調理を行う為、使用者が消火直後に点・消火ボタン２０１を押圧して再点火操作を行う場合には、サーモカップル５２の熱起電力ＴＣはハイレベル（例えば１０ｍＶ）である。
【００６１】
何方の場合も、点火が成功すると、サーモカップル５２が燃焼炎２０に炙られるので、熱起電力ＴＣが徐々に上昇していき（ステップＳ２でＹＥＳ）、熱起電力ＴＣが着火検知レベル（２．８ｍＶ）以上になる（ステップＳ３でＹＥＳ）。
【００６２】
そこで、燃焼制御器７は、イグナイタ回路の作動を停止させ、セーフティバルブ２１１へ所定時間経過後も通電を継続（保持コイルに保持電流を流す）し、点火確認ランプ６２へ通電して赤色発光させる（ステップＳ４）。
【００６３】
そして、調理モード等を選択するキー８１４、８１５、８１６、８１７、８１８、８１９の内、例えば、揚げ物調理モードのキー８１４を押圧すると、ＬＥＤ８２４が赤色発光して、このモードが選択された事を表し、七セグメントの緑色ＬＥＤ８１１（デジタル表示）には、前回の揚げ物調理モードを使用時の調理温度が表示される。そして、表示された温度に対して調理温度を下げる場合にはキー８１２、また、上げる場合にはキー８１３を押圧操作すると七セグメントの緑色ＬＥＤ８１１に調理温度が表示される。これにより、揚げ物調理を開始する。
【００６４】
尚、調理中に、風や噴き溢れ等により、左こんろ２のＭバーナ２１が立ち消え、サーモカップル５２の熱起電力ＴＣが着火検知レベル（２．８ｍＶ）未満になると（ステップＳ５でＹＥＳ）、燃焼制御器７は、セーフティバルブ２１１への通電を停止（保持電流を停止）してＭバーナ２１へのガス供給を停止するとともに、点火確認ランプ６２を消灯する（ステップＳ６）。
【００６５】
点・消火ボタン２０１を再押圧して消火操作を行うと（ステップＳ５でＹＥＳ）メイン弁２１３が閉弁し、マイクロスイッチ２０３が開成し、セーフティバルブ２１１が非通電となって左こんろ２が消火されるとともに、点火確認ランプ６２が強制的に通電停止となるので点火確認ランプ６２は消灯する（ステップＳ６）。
【００６６】
つぎに、ガステーブルＢの利点を述べる。
燃焼制御器７のマイクロコンピュータは、勾配Ｋが正で、且つ、熱起電力ＴＣ≧着火検知レベル（２．８ｍＶ）で点火確認ランプ６１、６２、６３を点灯させる構成である。この為、ガステーブルＢは、以下の利点を具備する。
【００６７】
〔オ〕消火直後（数秒以内）に点・消火ボタン１０１、２０１、３０１を点火操作する再点火時において、Ｈバーナ１１、Ｍバーナ２１、及びグリルバーナ３１の着火検知を確実に行えるので、点火確認ランプ６１、６２、６３の誤点灯が防止できる。又、再点火時と通常点火時の判別を行っていないので制御プログラムの簡略化が図れる。
【００６８】
〔カ〕１００ｍｓ間隔で勾配Ｋを計測しているので、Ｈバーナ１１、Ｍバーナ２１、グリルバーナ３１が着火して熱起電力の勾配Ｋが正になると（但し、着火検知レベル以上）速やかに点火確認ランプ６１、６２、６３が点灯する。
つまり、再点火時に点灯を遅延させる（例えば２秒間）構成でないので、着火しているのに直ぐ点灯しないといった不合理が起きない。
【００６９】
〔キ〕熱起電力の勾配が正になり（ステップＳ２でＹＥＳ）、且つ、熱起電力が着火検知レベル以上（ステップＳ３でＹＥＳ）であると燃焼制御器７が点火確認ランプ６２を点灯させ、一旦、点灯すると、燃焼制御器７は、熱起電力が着火検知レベル以上である間、点灯を継続させている（ステップＳ５でＹＥＳ）。この為、長時間燃焼させたり、火力を弱めても点火確認ランプ６２が消灯する事が無い。
【００７０】
尚、図９に示す様に、熱起電力ＴＣの勾配正を検知して点火確認ランプを点灯する構成でも良い（請求項１に対応）。
【００７１】
つぎに、本発明の第３実施例（参考例）を、図１〜図３、及び図１０のフローチャートに基づいて説明する。
図に示すガステーブルＣは、機械的な構造はガステーブルＡと同一であり、燃焼制御器７による点火確認ランプの点灯制御（以下に示す）のみ異なる。
【００７２】
ガステーブルＣの作動を図１０のフローチャート等に基づいて説明する。
例えば、使用者が左こんろ２の点・消火ボタン２０１を押圧した場合（ステップｓｔ１でＹＥＳ）、メイン弁２１３及びセーフティバルブ２１１が、点・消火ボタン２０１と連動関係にある連動部材（図示せず）により開弁状態になるとともに、マイクロスイッチ２０３が閉成状態になり、燃焼制御器７は、セーフティバルブ２１１に所定時間通電（吸引コイルに吸引電流を流す）して開弁保持し、点火電極４２に高電圧が印加されるので左こんろ２は点火して燃焼を開始する。尚、右こんろ１、グリル３を燃焼させる場合も同様である。
【００７３】
通常点火の場合はサーモカップル５２の熱起電力ＴＣは略ゼロである。
又、調理の再開又は別の調理を行う為、使用者が消火直後に点・消火ボタン２０１を押圧して再点火操作を行う場合には、サーモカップル５２の熱起電力ＴＣはハイレベル（例えば１０ｍＶ）である。
【００７４】
何方の場合も、点火が成功すると、サーモカップル５２が燃焼炎２０に炙られるので、熱起電力ＴＣが徐々に上昇していく（ステップｓｔ２でＹＥＳ）。
熱起電力ＴＣが着火検知レベル（２．８ｍＶ）未満の場合は、ステップｓｔ４→ステップｓｔ５→ステップｓｔ２をループする。
【００７５】
熱起電力ＴＣが着火検知レベル以上になる（ステップｓｔ３でＹＥＳ）と、燃焼制御器７は、ステップｓｔ６で、イグナイタ回路の作動を停止させ、セーフティバルブ２１１へ所定時間経過後も通電を継続（保持コイルに保持電流を流す）し、点火確認ランプ６２へ通電して赤色発光（点灯保持）させる。
【００７６】
点灯開始から３０秒間は、タイマがタイムアップしていないので、ステップｓｔ７でＮＯ→ステップｓｔ８→ステップｓｔ２でＹＥＳ→ステップｓｔ３でＹＥＳ→ステップｓｔ６に進む。又、タイムアップすると、ステップｓｔ７でＹＥＳ→ステップｓｔ３→ステップｓｔ６に進む。
【００７７】
尚、調理中に、風や噴き溢れ等により、左こんろ２のＭバーナ２１が立ち消え、サーモカップル５２の熱起電力ＴＣが着火検知レベル（２．８ｍＶ）未満になると（ステップｓｔ３でＮＯ）、燃焼制御器７は、セーフティバルブ２１１への通電を停止（保持電流を停止）してＭバーナ２１へのガス供給を停止するとともに、点火確認ランプ６２を消灯する（ステップｓｔ４）。
【００７８】
つぎに、ガステーブルＣの利点を述べる。
〔ク〕ステップｓｔ２でＫ＞０を判別しているので、消火直後（数秒以内）に点・消火ボタン１０１、２０１、３０１を点火操作する再点火時において、Ｈバーナ１１、Ｍバーナ２１、及びグリルバーナ３１の着火検知を確実に行えるので、点火確認ランプ６１、６２、６３の誤点灯が防止できる。
【００７９】
〔ケ〕１００ｍｓ間隔で勾配Ｋを計測しているので、Ｈバーナ１１、Ｍバーナ２１、グリルバーナ３１が着火して熱起電力の勾配Ｋが正になると（但し、着火検知レベル以上）速やかに点火確認ランプ６１、６２、６３が点灯する。
つまり、再点火時に点灯を遅延させる（例えば２秒間）構成でないので、着火しているのに直ぐ点灯しないといった不合理が起きない。
【００８０】
〔コ〕熱起電力の勾配Ｋが正による着火検知が行われてから３０秒（所定時間）が経過すると、着火検知レベル以上で点火確認ランプ６１、６２、６３を点灯させる制御に変更している。
この為、長時間燃焼させたり、火力を弱めても点火確認ランプ６１、６２、６３が消灯する事が無い。
【００８１】
つぎに、本発明の第４実施例（請求項５に対応）を、図１、図２、図３、図１１、及び図１２に基づいて説明する。
ガステーブルＤの機械的構成は、ガステーブルＡと同一である。
ガステーブルＤの作動を、図１１のグラフ、及び図１２のフローチャートに基づいて説明する。
【００８２】
例えば、左こんろ２の燃焼中（ステップＳｔ１）に、使用者が点・消火ボタン２０１を押圧して消火操作を行うと（ステップＳｔ２でＹＥＳ）、メイン弁２１３が閉弁し、マイクロスイッチ２０３が開成し、セーフティバルブ２１１が非通電となって左こんろ２が消火する（経過時点９２０）。尚、右こんろ１、グリル３も同様である。
【００８３】
点・消火ボタン２０１による消火操作でＭバーナ２１が消火すると、燃焼制御器７のマイクロコンピュータは、燃焼中にサーモカップル５２が出力する熱起電力ＴＣの最大値よりも高い第２閾値（例えば６．５ｍＶ）に着火検知レベルを引き上げ、図１１の破線に示す様に、消火からの経過時間に対応して着火検知レベルを低減していく（ステップＳｔ３）。
【００８４】
そして、揚げ物調理の再開又は別の調理を行う為、使用者が左こんろ２の点・消火ボタン２０１を経過時間９２１で点・消火ボタン２０１を押圧（ステップＳｔ４でＹＥＳ）して再点火操作を行うと、メイン弁２１３が開弁状態になるとともに、マイクロスイッチ２０３が閉成状態になり、燃焼制御器７は、セーフティバルブ２１１に所定時間通電して開弁保持し、点火電極４２に高電圧が印加されるので、左こんろ２は再点火して燃焼を再開する。
【００８５】
尚、再点火を行わなかった場合は、サーモカップル５２の熱起電力ＴＣは、図示二点鎖線に示す様に時間経過とともに下がって行く（図１１参照）。
【００８６】
サーモカップル５２は、燃焼炎２０に炙られるので、図示実線に示す様に熱起電力ＴＣの下降は序々に緩やかになり、間もなく上昇に転じる（図１１参照）。経過時点９２２で、熱起電力ＴＣが着火検知レベル以上になった事が検知される（ステップＳｔ５でＹＥＳ）と、燃焼制御器７は、イグナイタ回路の作動を停止させ、セーフティバルブ２１１へ所定時間経過後も通電を継続し、点火確認ランプ６２へ通電して赤色発光させる（ステップＳｔ６）。
【００８７】
尚、燃焼中に、風や噴き溢れ等により、左こんろ２のＭバーナ２１が立ち消え、サーモカップル５２の熱起電力ＴＣが着火検知レベル未満になると（ステップＳｔ７でＹＥＳ）、燃焼制御器７は、セーフティバルブ２１１への通電を停止してＭバーナ２１へのガス供給を停止するとともに、点火確認ランプ６２を消灯する（ステップＳｔ８）。
【００８８】
つぎに、ガステーブルＤの利点を述べる。
点・消火ボタン１０１、２０１、３０１による消火操作で、Ｈバーナ１１、Ｍバーナ２１、グリルバーナ３が消火すると、燃焼制御器７のマイクロコンピュータは、燃焼中にサーモカップル５２が出力する熱起電力ＴＣの最大値よりも高い第２閾値（６．５ｍＶ）に着火検知レベルを引き上げ、消火からの経過時間に対応して着火検知レベルを低減していく構成である。
この為、ガステーブルＤは、以下の利点を具備する。
【００８９】
〔サ〕点・消火ボタン１０１、２０１、３０１による消火操作で、着火検知レベルを第２閾値（６．５ｍＶ）に引き上げているので、燃焼停止後に点・消火ボタン１０１、２０１、３０１を点火操作する再点火時において、Ｈバーナ１１、Ｍバーナ２１、及びグリルバーナ３１の着火検知を確実に行えるので、点火確認ランプ６１、６２、６３の誤点灯が防止できる。
【００９０】
〔シ〕再点火時において、点火が成功すると、早期に熱起電力ＴＣ≧着火検知レベルとなるので、速やかに点火確認ランプ６１、６２、６３が点灯する。
尚、再点火時に点灯を遅延させる（例えば２秒間）構成でないので、着火しているのに直ぐに点灯しないといった不合理や、長時間燃焼や大火力燃焼の際にも誤点灯が起きない。
【００９１】
本発明は、上記実施例以外に、つぎの実施態様を含む。
ａ．第１実施例では、点火時における熱起電力ＴＣが所定値（２．８ｍＶ）以上の場合を再点火としている（ステップｓ２）が、点・消火ボタンによる消火操作で燃焼停止してからの経過時間が所定時間（例えば２０秒）以内の場合を再点火としても良い。
【００９２】
ｂ．着火検知レベルは、２．８ｍＶに限定されず、例えば、サーモカップル等のバラツキを相殺する為、２．８ｍＶ±１．３ｍＶの範囲で変更できる様にしても良い。
【００９３】
ｃ．第１実施例の説明では、点・消火ボタン２０１の操作の後に調理モードの選択を行ったが、調理モードを選択するキー及び設定キーを押して調理モード選択及び調理温度等の設定を行った後に、点・消火ボタン２０１によって燃焼を開始する事も可能である。この場合、調理選択キーのＬＥＤ（例えばＬＥＤ８２４）が点灯した後、キー８１２またはキー８１３で調理温度を設定して七セグメントの緑色ＬＥＤ８１１に表示させ、その後の点火操作によって点火確認ランプ６２が赤色発光する。
【図面の簡単な説明】
【図１】本発明の各実施例に係るガステーブルの斜視図である。
【図２】そのガステーブルの構造説明図である。
【図３】そのガステーブルの要部拡大図である。
【図４】第１実施例に係るガステーブルの、経過時間- 熱起電力、着火検知レベルの関係を示すグラフである。
【図５】第１実施例に係るガステーブルにおける、点火確認ランプの点灯制御を示すフローチャートである。
【図６】第１実施例の変形例（その１）に係るガステーブルにおける、点火確認ランプの点灯制御を示すフローチャートである。
【図７】第１実施例の変形例（その２）に係るガステーブルにおける、点火確認ランプの点灯制御を示すフローチャートである。
【図８】第２実施例に係るガステーブルにおける、点火確認ランプの点灯制御を示すフローチャートである。
【図９】第２実施例の変形例に係るガステーブルにおける、点火確認ランプの点灯制御を示すフローチャートである。
【図１０】第３実施例に係るガステーブルにおける、点火確認ランプの点灯制御を示すフローチャートである。
【図１１】第４実施例に係るガステーブルの、経過時間- 熱起電力、着火検知レベルの関係を示すグラフである。
【図１２】第４実施例に係るガステーブルにおける、点火確認ランプの点灯制御を示すフローチャートである。
【符号の説明】
Ａ、Ｂ，Ｃ、Ｄ  ガステーブル（燃焼装置）
４  点火手段
７  燃焼制御器（制御器）
１１  Ｈバーナ（ガスバーナ）
２１  Ｍバーナ（ガスバーナ）
３１  グリルバーナ（ガスバーナ）
５１、５２、５３  サーモカップル（熱電対）
６１、６２、６３  点火確認ランプ
ＴＣ  熱起電力
【図１】
0003636238.tif 000002
【図２】
0003636238.tif 000003
【図３】
0003636238.tif 000004
【図４】
0003636238.tif 000005
【図５】
0003636238.tif 000006
【図６】
0003636238.tif 000007
【図７】
0003636238.tif 000008
【図８】
0003636238.tif 000009
【図９】
0003636238.tif 000010
【図１０】
0003636238.tif 000011
【図１１】
0003636238.tif 000012
【図１２】
0003636238.tif 000013